(57)【要約】【課題】            冷凍庫内の低温環境下においても直管型ランプの所要ランプ光束の低下を招くことがない照明器具を提供することを課題とする。【解決手段】        直管型蛍光ランプ１１を装着する照明器具本体２と、前記直管型ランプを内装するランプユニット１０を照明器具本体の両端近傍にて支持するソケット部４を備え、前記ランプユニットは、外シリンダ１２と内シリンダ１３の二重構造からなり、前記直管型ランプの両端フィラメント近傍の管壁に当接する保温部材３０および前記外シリンダと前記内シリンダをシリンダ支持体２０にて支持し、さらに前記シリンダ支持体は、前記直管型蛍光ランプの両端近傍にて、直管型蛍光ランプに嵌着する構成とした。【選択図】          図４
2008226687.tif 000002
【特許請求の範囲】
【請求項１】
直管型ランプを装着する照明器具本体と、前記直管型ランプを内装するランプユニットを照明器具本体の両端近傍にて支持するソケット部を備え、前記ランプユニットは、外シリンダと内シリンダの二重構造からなり、前記直管型ランプの両端フィラメント近傍の管壁に当接する保温部材および外シリンダと内シリンダをシリンダ支持体にて支持し、さらに前記シリンダ支持体は、直管型ランプの両端近傍にて、直管型ランプに嵌着したことを特徴とする直管型ランプ用照明器具。
【請求項２】
環境温度に応じて、シリンダおよび／または保温部材が着脱自在とするように構成したことを特徴とする請求項１記載の直管型ランプ用照明器具。
【請求項３】
前記シリンダ支持体は、略筒状の弾性材で構成し、また同シリンダ支持体の片壁面に円形状の支持部に内シリンダを嵌着し、同シリンダ支持体の複数の外周凸部に外シリンダを嵌着し、複数の内周凸部に直菅形ランプを挿入し、内周に保温部材を挿入するように構成したことを特徴とする請求項１又は請求項２記載の直管型ランプ用照明器具。
【請求項４】
前記シリンダ支持体は、外周凸部の円周方向に複数のスリットを有し、内周凸部のシリンダ長手方向に複数のスリットを有する構成としたことを特徴とする請求項１乃至請求項３記載の直管型ランプ用照明器具。
【請求項５】
前記シリンダ支持体は、外周凸部および内周凸部をシリンダ回転軸に対する位相が異なる位置となるように構成したことを特徴とする請求項１乃至請求項４記載の直管型ランプ用照明器具。
【請求項６】
前記ソケット部は、シリンダ部とソケット部の防水性能を有する防水パッキンを備え、さらに防水パッキンの外周を樹脂製の外郭部材で覆って構成したことを特徴とする請求項１乃至請求項５記載の直管型ランプ用照明器具。
【発明の詳細な説明】
【技術分野】
【０００１】
本発明は直管型ランプ用照明器具の改良に関する。
【背景技術】
【０００２】
従来、冷凍倉庫内にて使用する直管形ランプ用の照明器具は、ランプ光束は環境温度の影響を受けやすく、ランプ光束の低下を防ぐための対策として、直管形蛍光ランプをシリンダ内に収める構成として保温性を高める発明が提案されている。
【０００３】
保温用のシリンダは、外シリンダと内シリンダの二重構造とし、それぞれが固定具により保持されており、さらに保持バネにより直管型ランプと内シリンダを保持する構成となっている。（例えば、特許文献１参照）
【特許文献１】特開２００１-２３５７５号公報
【発明の開示】
【発明が解決しようとする課題】
【０００４】
しかしながら、冷凍倉庫は保管する食品に合わせ最適な温度に設定するため、保管する食品が異なれば庫内の設定環境温度もそれに合わせて異なってくる。冷凍庫内の温度が変わると照明器具の光出力特性も変化し、一種類の器具ではある特定の温度にしか対応できないため、異なる温度に設定された場合、光出力性能は低下してしまう。
【０００５】
一方、特開２００１-２３５７５号公報のシリンダの構成は、直管型ランプ、外シリンダ、内シリンダのそれぞれの間に加熱部材、保持バネ、固定具などを介在させて保持する構成であるため、設定温度が異なる場合は、部品の設計変更により設定環境温度に対応する必要であった。
【０００６】
また、低温環境でランプ交換を行う時は、ランプがシリンダに装着された状態で取り外しを行い、このときシリンダをしっかり持っても滑ってしまうこともあり、シリンダ先端から突出しているランプピンによって、誤って防水パッキンを傷つけてしまうことがある。傷をつけたときは小さな傷であっても時間経過が進むにつれ傷が拡がり、パッキン自体が裂けてしまい、使用しているうちに防水性能を損なってしまう危険がある。
【０００７】
本発明は上記した課題に鑑み発明したものであって、冷凍庫内の低温環境下においても直管型ランプの所要ランプ光束を維持し、さらに、温度設定に応じて、数段階の温度環境に対応することを可能にする。また、ランプの交換作業の際に防水パッキンを傷つけることのない構造とする事で防水性能を損なう機会を減少させることができる直管型ランプ用照明器具を提供することを目的とする。
【課題を解決するための手段】
【０００８】
上記課題を解決するため本発明は、直管型ランプを装着する照明器具本体と、前記直管型ランプを内装するランプユニットを照明器具本体の両端近傍にて支持するソケット部を備え、前記ランプユニットは、外シリンダと内シリンダの二重構造からなり、前記直管型ランプの両端フィラメント近傍の管壁に当接する保温部材および外シリンダと内シリンダをシリンダ支持体にて支持し、さらに前記シリンダ支持体は、直管型ランプの両端近傍にて、直管型ランプに嵌着したことを特徴とする。
【０００９】
また本発明は、上記発明において、環境温度に応じて、シリンダおよび／または保温部材が着脱自在とするように構成したことを特徴とする。
【００１０】
また本発明は、上記発明において、前記シリンダ支持体は、略筒状の弾性材で構成し、また同シリンダ支持体の片壁面に円形状の支持部に内シリンダを嵌着し、同シリンダ支持体の複数の外周凸部に外シリンダを嵌着し、複数の内周凸部に直菅形ランプを挿入し、内周に保温部材を挿入するように構成したことを特徴とする。
【００１１】
また本発明は、上記発明において、前記シリンダ支持体は、外周凸部の円周方向に複数のスリットを有し、内周凸部のシリンダ長手方向に複数のスリットを有する構成としたことを特徴とする。
【００１２】
また本発明は、上記発明において、前記シリンダ支持体は、外周凸部および内周凸部をシリンダ回転軸に対する位相が異なる位置となるように構成したことを特徴とする。
【００１３】
また本発明は、上記発明において、前記ソケット部は、シリンダ部とソケット部の防水性能を有する防水パッキンを備え、さらに防水パッキンの外周を樹脂製の外郭部材で覆って構成したことを特徴とする。
【発明の効果】
【００１４】
本発明によれば、一つのシリンダ支持体で外シリンダ、内シリンダおよび保温部材を着脱自在に保持しているので、冷温環境化においても各環境温度の設定に応じて、ランプの所要ランプ光束を維持することができる直管型ランプ用照明器具を提供する。
【発明を実施するための最良の形態】
【００１５】
以下本発明を実施するための最良の形態を図１乃至図８について説明する。
【実施例１】
【００１６】
図１乃至図２において、１は直管型ランプを装着する照明器具であって、例えば長尺状の箱型の照明器具本体２で構成され、照明器具本体２の内部に電子安定器３を支持する構成としてある。４は照明器具本体２の両端近傍に支持してなるソケット部、１０はソケットとソケットの間に支持してなるランプユニットであって、直管型蛍光ランプ１１を内装し、ランプ両端にて透光性の外シリンダ１２および内シリンダ１３をシリンダ支持体２０で支持する構成としてある。３０は直管ランプのフィラメント部を保温する保温部材である。
【００１７】
外シリンダ１２は、例えば長さは１１９８ｍｍ、外径φ５０ｍｍ、肉厚１ｍｍに構成してある。内シリンダ１３は、例えば長さは１１６８ｍｍ、外径φ３８ｍｍ、肉厚１ｍｍに構成してある。外シリンダ１２および内シリンダ１３は、例えばポリカーボネートで構成してある。
【００１８】
シリンダ支持体２０は、略円筒状の弾性材で構成され、内側面には蛍光ランプ支持部２１および保温部材ガイド２４を有し、外側面には外シリンダ支持部２２を有し、ソケットと当接する側とは反対の側面に内シリンダ支持部２３を有して構成してある。シリンダなどの支持状態の詳細およびランプの着脱手順は、後で説明する。
【００１９】
図２は照明器具のソケット部４周辺の断面図を示す。ソケット部４は、直管型蛍光ランプ１１のランプピンを受けるソケット受部４１と、外シリンダ１２に密接して防水性能を維持する防水パッキン４０と、防水パッキン４０を覆う樹脂製部材のソケット前面カバー４２とを備え、防水パッキン４０は、ランプピンの先端が届かない距離を確保して、前記ソケット前面カバー４２内に内包されている。
【００２０】
よって、ランプ交換時にランプピンによって傷付けることを防止する効果がある。
また、前記防水パッキンは、シリンダに対して二重構造としているので、高い防水性能を有している。
【００２１】
図３は保温部材３０の詳細を、図４および図５はシリンダ支持体２０の詳細を示す。保温部材３０はランプフィラメント付近のランプ外管全周を覆う略円筒状の金属からなり、例えばアルミニウムで構成してある。直管型蛍光ランプ１１は管径２５．５ｍｍであり、保温部材３０は直管ランプの全周を端部口金から６０ｍｍ覆うように構成してある。
【００２２】
シリンダ支持体２０の内側面は、保温部材ガイド２４となる突部を有し、直管型蛍光ランプ１１のガラス管に当接する。保温部材３０は蛍光ランプ支持部２１および保温部材ガイド２４に干渉しない形状の延長部３０Ａおよび３０Ｂを有しており、保温部材ガイド２４の突部形状に沿って嵌着する。保温部材ガイド２４は、内側の２１と外側の２２の間の位相に配置してある。
【００２３】
シリンダ支持体内側面にはランプの口金に当接する突部であって、少なくとも３箇所の蛍光ランプ支持部２１を有する。ランプの嵌入を容易にするため直管ランプの長手（ランプ挿入）方向にスリット２１Ｓを設けても良い。保温部材３０は、平板を円筒状に成形した部材であり、両端を固定せずに重ねてある為、ランプの挿入が容易に行える。また、延長部３０Ｂにはランプ口金に引っかかるストッパ３０Ｃを有しており、ランプの過嵌入を防止している。
【００２４】
シリンダ支持体２０は、側面一方に内シリンダ支持部２３、例えば溝部を構成し、内シリンダ１３を嵌入し支持している。前記溝部は内シリンダを容易に嵌入できるよう、図５のようにＵ溝の開口部分を円の中心軸方向に広くしてある。シリンダ支持体外側面には外シリンダ１２の内面に当接する突部である外シリンダ支持部２２を有し、少なくとも３箇所で外シリンダを支持している。前記外シリンダ支持部は、円周方向のスリット２２Ｓを設けても良い。
【００２５】
ここで、蛍光ランプ支持部２１および外シリンダ支持部２２は、位相をずらした位置に配置してある。外シリンダの製造誤差や、直管型蛍光ランプの製造誤差があっても、図６（Ｂ）に示すようにシリンダ支持体を変形させて吸収できるように構成してある。
【００２６】
また、シリンダ支持体２０は、直管型蛍光ランプ１１に対して、外シリンダ１２、内シリンダ１３、保温部材３０をそれぞれ支持しているので、どれかひとつの部材が欠けても支持状態を維持できる構成としてあるため、設定環境温度に応じて、数段階の温度環境に対応することも可能である。
【００２７】
ここで、ランプユニット１０を構成するランプの着脱手順およびシリンダ支持体の支持状態の詳細を説明する。
【００２８】
はじめに、シリンダ支持体２０に保温部材３０を嵌着する。保温部材３０は、平板を筒状に丸めた形状としたため、直管型蛍光ランプを挿入する時に拡径して、挿入作業を容易に行える。
【００２９】
次に、直管型蛍光ランプ１１の片側に上記シリンダ支持体２０を取り付ける。
【００３０】
次に、各シリンダをシリンダ支持体２０が取り付けていない側から挿入し、既にランプに取付けてあるシリンダ支持体２０に取り付ける。
【００３１】
外シリンダは、片方のシリンダ支持体２０に支持し、このとき外シリンダ端面がシリンダ支持体の幅さらにひとつ分が、延出するように支持しておく。そして、他方側のランプ口金および内シリンダにシリンダ支持体２０をはめ込む。その後、外シリンダを回転軸方向のあとから取付けたシリンダ支持体に向かってスライドさせランプ口金、シリンダ支持体、外シリンダの端面を揃える。
【００３２】
以上によりランプユニット１０が構成され、前記ランプユニットをソケット部に片方から順番に装着する。
【００３３】
本実施例では、−２５℃の環境温度に適した構成としているが、保温部材３０および内シリンダ１３などの組合せ構成により、異なる環境温度に対応して、直管型蛍光ランプの最適最大光束を出力することができる。
【００３４】
図７に示すように、保温部材３０を取り外し、外シリンダ１２および内シリンダ１３とした構成（図７（Ａ））、内シリンダ１３を取り外し、外シリンダ１２および保温部材３０とした構成（図７（Ｂ））、内シリンダ１３および保温部材３０を取り外し、外シリンダ１２のみとした構成（図７（Ｃ））などが可能である。
前記複数の構成により、環境温度が異なる場合は、低い方から図２＜図７（Ａ）＜図７（Ｂ）＜図７（Ｃ）の順で環境温度に対応することができる。
【００３５】
実施例１ではシリンダ支持体２０の内シリンダ支持部２３を溝部で構成したが、図８に示すように内側または外側に一段または数段の段部（図８では内側に一段）を形成し、内シリンダを支持する構成としても良い。
【図面の簡単な説明】
【００３６】
【図１】本発明に係る照明器具の概略正面図。
【図２】ランプユニットのソケット部への装着状態を示す断面図。
【図３】本発明に係る保温部材の斜視図。
【図４】本発明に係るシリンダ支持体の斜視図。
【図５】本発明に係るシリンダ支持体の正面図（Ａ）および断面図（Ｂ）。
【図６】ランプユニットの側面図。
【図７】各種設定温度に対応するランプユニットの実施例１の変形例の断面図。
【図８】シリンダ支持体の実施例１の変形例の断面図。
【符号の説明】
【００３７】
１  照明器具
２  照明器具本体
３  電子安定器
４  ソケット部
１０  ランプユニット
１１  直管型蛍光ランプ
１２  外シリンダ
１３  内シリンダ
２０  シリンダ支持体
２１  蛍光ランプ支持部
２２  外シリンダ支持部
２３  内シリンダ支持部
３０  保温部材
４０  防水パッキン
４２  ソケット前面カバー
【図１】
2008226687.tif 000003
【図２】
2008226687.tif 000004
【図３】
2008226687.tif 000005
【図４】
2008226687.tif 000006
【図５】
2008226687.tif 000007
【図６】
2008226687.tif 000008
【図７】
2008226687.tif 000009
【図８】
2008226687.tif 000010